(57)【要約】【課題】操作性が向上するとともに、機器の破損を防ぐことができ、さらに高密度実装性を向上することができること。【解決手段】カード３１の複数を受容する複数のカード受容部１３ａ，１３ｂと、該カード受容部１３ａ，１３ｂ内に受容されて隣接する前記カード３１間の境界に配設するよう前記カード３１が挿入された際に前記カード３１をガイドしかつ前記カード３１に当接して回動することにより、挿入された前記カード３１に隣接する前記カード３１を挿入する際のガイドとなるガイド部材１７とを有している。【選択図】図１
2005078597.tif 000002
【特許請求の範囲】
【請求項１】
複数のカードを装着するカード装着機構において、前記カードの複数を受容する複数のカード受容部と、該カード受容部内に受容されて隣接する少なくとも前記カード間の境界に配設するよう前記カードが挿入された際に前記カードをガイドしかつ前記カードに当接して回動することにより、挿入された前記カードに隣接する前記カードを挿入する際のガイドとなるガイド部材とを有していることを特徴とするカード装着機構。
【請求項２】
請求項１記載のカード装着機構において、前記ガイド部材は第１のガイド部と、該第１のガイド部に回動可能に連結した第２のガイド部とを有し、該第１及び第２のガイド部のそれぞれは、前記カードが挿入された際に、それぞれの回動方向が異なる方向へ回動することを特徴とするカード装着機構。
【請求項３】
請求項２記載のカード装着機構において、前記カードを所定のスライド方向へスライド移動可能にして装着する前記カード受容部となるベースプレートと、該ベースプレート上で互いに所定間隔をもって平行に前記ベースプレートに設けた一対のガイドフレームとを有し、該ベースプレートに前記第２のガイド部を回動可能に軸支した軸部と、前記第１及び第２のガイド部に連結した連結軸部と、前記第１及び第２のガイド部を前記ベースプレートに対して平行な方向で前記スライド方向及び前記スライド方向を交差する方向へ回動可能にかつ前記スライド方向を交差する方向に常時付勢するように前記連結軸部に設けたバネ部材とを有していることを特徴とするカード装着機構。
【発明の詳細な説明】
【技術分野】
【０００１】
本発明は、複数のカードを装着する電子機器に用いられるカード装着機構に関するものである。
【背景技術】
【０００２】
従来のカード装着機構としては、機器ケース内にスライド自在に設けられてカードが着脱自在に装着されるカード装着板を有するものがある。カード装着板のスライド方向と直交する両側部には、カードの両側面をガイドするガイド壁が立設されている。
【特許文献１】特開平８−７０４７号公報
【発明の開示】
【発明が解決しようとする課題】
【０００３】
従来技術では、カードの両側面をガイドするガイド壁が固定されているので、余分なスペースが必要である。
【０００４】
また、幅の異なるカードのみを挿入した場合には、カード２枚分のスペースが必要とするので小型の電子機器のような製品に搭載できないとう問題がある。
【０００５】
また、コネクタを備えているカード装着機構では、外形寸法が大きいほど実装の際の認識エラー、搭載エラー、リフロー半田後の半田付け不良などの問題がある。
【０００６】
さらに、複数のカードが挿入可能なカード受容部の場合、間口が大きくしておく必要があり、誤挿入を起こすなど操作性に問題がある。
【課題を解決するための手段】
【０００７】
本発明によれば、複数のカードを装着するカード装着機構において、前記カードの複数を受容する複数のカード受容部と、該カード受容部内に受容されて隣接する少なくとも前記カード間の境界に配設するよう前記カードが挿入された際に前記カードをガイドしかつ前記カードに当接して回動することにより、挿入された前記カードに隣接する前記カードを挿入する際のガイドとなるガイド部材とを有していることを特徴とするカード装着機構が得られる。
【発明の効果】
【０００８】
本発明のカード装着機構では、１枚のカードの挿入と同時にガイドとして機能し、所定の場所へ移動した後、もう１枚のカードを挿入する際にもガイドとして機能するので複数からなるカード受容部にカードを挿入する際に、操作性が向上する。
【０００９】
また、接続部が同一形状で外形形状が異なるカードの挿入時にもガイド機能が互いの接続部に案内されるので誤挿入を防止することができる。
【００１０】
以上のように、本発明によると外形形状を拡大せずに、複数のカードを挿入しても、誤挿入などのよる機器の破損が防止可能な高密度実施が可能なカード装着機構を提供することができる。
【発明を実施するための最良の形態】
【００１１】
本発明のカード装着機構によれば、複数のカードを装着するカード装着機構において、前記カードの複数を受容する複数のカード受容部と、該カード受容部内に受容されて隣接する少なくとも前記カード間の境界に配設するよう前記カードが挿入された際に前記カードをガイドしかつ前記カードに当接して回動することにより、挿入された前記カードに隣接する前記カードを挿入する際のガイドとなるガイド部材とを有していることを特徴とするカード装着機構が得られる。
【実施例１】
【００１２】
図１乃至図４は、本発明に係るカード装着機構の実施例１を示している。図１乃至図４を参照してカード装着機構は、互いに平行に所定間隔をもって設置されている一対のガイドフレーム１１と、一対のガイドフレーム１１を上面に設置しているベースプレート１３と、一対のガイドフレーム１３の一端部側を橋渡すように一対のガイドフレーム１１に両端が保持されているコネクタ１５と、一対のガイドフレーム１１間でベースプレート１３上に位置しているガイド部材１７とを有している。
【００１３】
ベースプレート１３は、一対のガイドフレーム１１間でガイド部材１７によって第１のカード受容部１３ａと第２のカード受容部１３ｂとに別けられている。図２においては、紙面の左右に並列に２つの同じ形状のカード３１が装着された状態を示している。
【００１４】
互いに平行に対向している一対のガイドフレーム１１の内面には、フレームガイド溝１１ａが形成されている。ベースプレート１３は、図示しない機器に実装される。具体的には、ベースプレート１３は、ガイドフレーム１１に形成されているネジ穴１１ｂにネジを挿入して，機器に搭載さているプリント回路基板に固定される。
【００１５】
コネクタ１５は、インシュレータ１５ａと、このインシュレータ１５ａに設けられている複数の導電性コンタクト２１とを有している。コンタクト２１は、ＩＣカードのような板形状のカード３１のカード側接触部（図示せず）に接触する接触部２１ａと、インシュレータ１５ａに保持されている保持部（図示せず）と、保持部からインシュレータ１５ａの外へ延びている端子部２１ｃとを有している。端子部２１ｃは、プリント回路基板に形成されている導電部に半田によって接続される。
【００１６】
ガイド部材１７は、ベースフレーム１３と軸部４１によって回動可能に係止されて第１及び第２のカード受容部１３ａ，１３ｂを分けるように略中央に位置しており、カード３１をガイドするガイド機構の役割のみならず挿入されるカード３１の形状に応じてカード３１に当接して回動する。
【００１７】
ガイド部材１７は、１枚のカードが第１のカード受容部１３ａに挿入されている状態で、もう一枚のカード３１を第２のカード受容部１３ｂに挿入する場合に、ガイド部材１７がガイドとして機能するように各カード３１の境界となるように位置する。
【００１８】
図１に示したカード装着機構において、第１のカード受容部１３ａ及び第２のカード受容部１３ｂにカード３１が挿入されていない状態では、ガイド部材１７がベースプレート１３に第１のガイド部１７ａを回動可能に軸支した軸部４１を中心として右側へ傾いている。ガイド部材１７は、回動可能な第１のガイド部１７ａと、この第１のガイド部１７ａに連結されている第２のガイド部１７ｂとから構成されいる。
【００１９】
ベースプレート１３上には、カード３１を所定のスライド方向Ａへスライド移動可能にして装着する。一対のガイドフレーム１１は、ベースプレート１３上で互いに所定間隔をもって平行にベースプレート１３に設けられている。
【００２０】
第２のガイド部１７ｂには、連結軸部４４が形成されている。連結軸部４４には、第１のガイド部１７ａとバネ部材４３が回動可能に固定されている。第１及び第２のガイド部１７ａ，１７ｂは、バネ部材４３により一直線状になるように付勢されている。
【００２１】
軸部４１には、第１及び第２のガイド部１７ａ，１７ｂをベースプレート１３に対して平行な方向でスライド方向Ａ及びスライド方向Ａを交差する方向へ回動可能にかつ第２のガイド部１７ｂに対して第１のガイド部１７ａが角度をもって回動する方向で常時付勢するように連結軸部４４に設けたバネ部材４３が取り付けられている。
【００２２】
バネ部材４３は、第１及び第２のガイド部１７ａ，１７ｂがスライド方向Ａに対して斜めの角度になるように付勢している。図１に示したガイド部材１７によって示したように、回転しているガイド部材１７の軸部４１よりも手前部分である第１のガイド部１７ａは、第２のカード受容部１３ｂへ突出している。
【００２３】
第１のガイド部１７ａは、ガイド部材１７の軸部４１よりも手前側部分が第２の受容部に突出していることによって、第１のガイド部１７ａ，１７ａ′′の先端部分がベースプレート１３に形成されている第１の回転ストッパー部４５及び第２のストッパー部４６により角度が固定される。よって、第１のガイド部１７ａは、第２のカード受容部１３ｂからカード３１が挿入するのを防止し、第１のカード受容部１３ａへカード３１が挿入されるようにガイドする。
【００２４】
カード未挿入状態では、第１のガイド部１７ａの先端が大１の回転ストッパー部４５に当接するまでスライド方向Ｃの方講に回転するため、ガイド部材１７はカード受容部１３ｂ側に傾いて固定される。
【００２５】
ガイド部材１７には、カード３１が挿入される際にガイドとして機能するようにガイド溝１７ｄが形成されている。ガイド部材１７は、前述した軸部４１及び連結軸部４４を中心に回転又は移動することができる。ガイド部材１７は、カード３１を挿入したときに可動しカード３１を離脱した後は、第２のカード受容部１３ｂへ突出している状態の付勢形状に復帰する。実施例１では、プリント回路基板上にベースプレート１３が搭載されており、カード３１の装着が可能な状態となっている。
【００２６】
第２のガイド部１７ｂはベースフレーム１３の軸部４１に回動可能に固定され、第２のガイド部１７ｂの奥側は、コネクタ１５の背面側まで延長され、その部分にバネ固定部１７ｃ，１７ｃ′が形成されている。このバネ固定部１７ｃは、引張りコイルバネ４９の一方のフックが引っ掛けられている。
【００２７】
引張りコイルバネ４９の他方のフックは、ベースプレート１３の引掛片に引っかけられているため、ガイド部材１７は軸部４１を中心として、スライド方向Ｃの向きに付勢される。
【００２８】
以下、図４乃至図９を参照して、カード装着機構にカード３１を装着する操作を説明する。図１、図５及び図６に示したカード装着機構では、カード３１を挿入する前の状態を示している。
【００２９】
図１、図５及び図６に示すように、カード３１が第１及び第２のカード受容部１３ａ，１３ｂに挿入されていない場合には、ガイド部材１７がスライド方向Ａに対して交差する方向に開いた状態で静止している。
【００３０】
カード３１をベースプレート１３の第１のカード受容部１３ａに沿ってコネクタ１５へ挿入していくと図７に示すように、第１のガイド部１７ａの奥部に当接する。このとき、第２のガイド部１７ｂは、カード３１が当接することにより押圧されてガイド部材１７が軸部４１を中心としてガイドフレーム１１と平行な位置へ向けて第１及び第２のガイド部１７ａ，１７ｂが回転する。さらにカード３１を挿入すると、図８に示すように、ガイドフレーム１１と平行にかつスライド方向Ａに平行な位置へガイド部材１７が回転して移動し、コネクタ１５のコンタクト２１とカード３１のカード接触部が接触する。
【００３１】
その後、図９に示すように第２のカード受容部１３ｂへもう1枚のカード３１を挿入する。この際、カード３１は、一方側のガイドフレーム１１のフレームガイド溝１１ａとガイド部材１７のガイド溝１７ｄにガイドされて、コネクタ１５のコンタクト２１とカード３１のカード接触部が接触する。
【００３２】
また、形状の異なるカード、例えば、図１０に示すカード５１を装着する場合、挿入時はガイドとして機能し、その後、図１１及び図１２に示すようにカード５１が所定の位置に確実に装着されるようにカード５１の外形に沿って受容されることもできる。
【００３３】
第１のガイド部１７ａは、図１０に示したような異形状のカード５１が挿入されたときに、異形状のカード５１の形状に沿って回転する。形状の異なるカード５１の挿入時には、図１１に示すように、カード５１の先端と第２のガイド部１７ｂが当接する。第２のガイド部材１７ｂは、スライド方向Ｂの向きに回転を始める。その後、カード５１の外形の段差部５１ｃと第１のガイド部材１７ａが当接し、第１のガイド部１７ａはバネ部材４３の回転力に反してスライド方向Ｃに回転し、図１２に示すようにガイド部材１７はカード５１の外形に沿った形状となる。
【００３４】
このように、異なる形状のカード５１が挿入される場合においてもカード５１の形状に応じて振れ曲がるなどの動作によるカード５１が装着が可能である。また、異形状で特に大型のカードが装着される場合には、カードとの干渉を防ぐ目的で自在に受容可能となる。
【００３５】
さらに、カード３１，５１を抜去した後は、ガイド部材１７や、ガイド部材１７とベースフレーム１３間に設けられたバネ部材４３が作用し、元の位置へ戻ることができる。
【００３６】
このように、カード３１，５１のどちらの場合でも、カード抜去後のガイド部材１７は、引張りコイルバネ４９やバネ部材４３の荷重によりカード未挿入状態に復帰する。
【００３７】
なお、この実施例ではガイドフレームは、ベースプレート１３上に組み込まれているが、両者の位置は上下逆にしてもよい。
【産業上の利用可能性】
【００３８】
本発明のコネクタは、カードとして補助的なメモリとして用いるＳＤメモリカードやメモリスティック、ディスクカードなどを利用するＰＤＡ、携帯電話器などの機器に対して
不可欠な用途にも適用できる。
【図面の簡単な説明】
【００３９】
【図１】本発明に係るカード装着機構の実施例１を示す平面図である。
【図２】図１に示したカード装着機構にカードが装着された状態を示す平面図である。
【図３】図１の右側面図である。
【図４】図２の正面図である。
【図５】図１に示したカード装着機構にカードを挿入する前の状態を示した斜視図である。
【図６】図１に示したカード装着機構にカードを挿入する前の状態を示した平面図である。
【図７】図６に示したカード装着機構にカードを挿入する途中の状態を示した斜視図である。
【図８】図７に示したカード装着機構にカードを挿入した状態を示した平面図である。
【図９】図８に示したカード装着機構にカードを挿入した後に、もう１枚のカードを挿入する途中の状態を示した斜視図である。
【図１０】図１に示したカード装着機構に形状が異なるカードを装着した状態を示した平面図である。
【図１１】図１０に示したカード装着機構に形状が異なるカードを挿入する途中の状態を示した平面図である。
【図１２】図１１に示したカード装着機構に形状が異なるカードを挿入した後の状態を示した斜視図である。
【符号の説明】
【００４０】
１１    ガイドフレーム
１１ａ    フレームガイド溝
１３    ベースプレート
１３ａ    第１のカード受容部
１３ｂ    第２のカード受容部
１５    コネクタ
１７    ガイド部材
１７ａ    第１のガイド部
１７ｂ    第２のガイド部
３１，５１    カード
４１    軸部
４３    バネ部材
４４    連結軸部
４５    第１の回転ストッパー部
４６    第２のストッパー部
【図１】
2005078597.tif 000003
【図２】
2005078597.tif 000004
【図３】
2005078597.tif 000005
【図４】
2005078597.tif 000006
【図５】
2005078597.tif 000007
【図６】
2005078597.tif 000008
【図７】
2005078597.tif 000009
【図８】
2005078597.tif 000010
【図９】
2005078597.tif 000011
【図１０】
2005078597.tif 000012
【図１１】
2005078597.tif 000013
【図１２】
2005078597.tif 000014